(57)【要約】【課題】樹脂製部材と金属製部材の複合部材に補強筒を用いて機能部品を締結固定する作業を安価な構成で効率化できる建具を提供すること。【解決手段】障子４０（建具１）は、筒体１８１及び筒体１８１の外周面に取り付けられるワッシャ１８２を有する補強筒１８０と、補強筒１８０の筒体１８１が挿入される樹脂側貫通孔１６５，１６６が形成される樹脂形材（樹脂製部材）４１３ａと、樹脂側貫通孔１６５，１６６に対応する位置に金属側貫通孔４７１が形成され、樹脂形材４１３ａに対して空間１６０をあけて固定されるアルミ形材４１３ｂ（金属製部材）と、金属側貫通孔４７１から、空間１６０でワッシャ１８２により抜け止めされた補強筒１８０の中空部を通って樹脂形材４１３ａに対して取付対象である把手部（機能部品）１５０を締結するビス（締結部材）１７０と、を備える。【選択図】図１０
2018150704.tif 000002
【特許請求の範囲】
【請求項１】
筒体及び前記筒体の外周面に取り付けられる鍔部を有する補強筒と、
前記補強筒の前記筒体が挿入される樹脂側貫通孔が形成される樹脂製部材と、
前記樹脂側貫通孔に対応する位置に金属側貫通孔が形成され、前記樹脂製部材に対して空間をあけて固定される金属製部材と、
前記金属側貫通孔から、前記空間で前記鍔部により抜け止めされた前記補強筒の中空部を通って前記樹脂製部材に対して取付対象の機能部品を締結する締結部材と、
を備える建具。
【請求項２】
前記樹脂製部材は、長手方向に延びる樹脂側嵌合部を有し、
前記金属製部材は、前記樹脂側嵌合部にスライド嵌合する金属側嵌合部を有する請求項１に記載の建具。
【発明の詳細な説明】
【技術分野】
【０００１】
本発明は、補強筒を利用して機能部品を樹脂製部材に固定する建具に関する。
【背景技術】
【０００２】
従来、アルミ形材と樹脂形材を嵌合させた複合部材に把手や金具等の機能部品を取り付ける場合において、樹脂形材の沈み込み変形や変色が発生しないように、補強筒を樹脂形材に嵌め込んでビスやネジ等の締結を行う技術が知られている。この種の技術を開示するものとして例えば特許文献１がある。特許文献１では、図１１を参照して断熱材製室内側框材の孔に配置される筒体にビスを挿通して螺合し、パネル外れ止め金具を固定することについて記載されている。
【先行技術文献】
【特許文献】
【０００３】
【特許文献１】特開２０００−１５４６８５号公報
【発明の概要】
【発明が解決しようとする課題】
【０００４】
アルミ形材と樹脂形材を嵌合させた複合部材では、補強筒を樹脂形材に嵌め込んだ状態でアルミ形材を嵌合し、その状態でネジ等の締結作業を行う必要がある。補強筒は、円筒状に構成されており、樹脂形材の貫通孔に嵌め込まれているだけなので、作業中に補強筒が脱落して取付作業が中断することがある。従来技術には、作業性の向上という点で改善の余地があった。
【０００５】
本発明は、樹脂製部材と金属製部材の複合部材に補強筒を用いて機能部品を締結固定する作業を安価な構成で効率化できる建具を提供することを目的とする。
【課題を解決するための手段】
【０００６】
本発明は、筒体（例えば、後述の筒体１８１）及び前記筒体の外周面に取り付けられる鍔部（例えば、後述のワッシャ１８２）を有する補強筒（例えば、後述の補強筒１８０）と、前記補強筒の前記筒体が挿入される樹脂側貫通孔（例えば、後述の樹脂側貫通孔１６５，１６６）が形成される樹脂製部材（例えば、後述の樹脂形材４１３ａ）と、前記樹脂側貫通孔に対応する位置に金属側貫通孔（例えば、後述の金属側貫通孔４７１）が形成され、前記樹脂製部材に対して空間（例えば、後述の空間１６０）をあけて固定される金属製部材（例えば、後述のアルミ形材４１３ｂ）と、前記金属側貫通孔から、前記空間で前記鍔部により抜け止めされた前記補強筒の中空部を通って前記樹脂製部材に対して取付対象の機能部品（例えば、後述の把手部１５０）を締結する締結部材（例えば、後述のビス１７０）と、を備える建具（例えば、後述の建具１）に関する。
【０００７】
前記樹脂製部材は、長手方向に延びる樹脂側嵌合部（例えば、後述のスライド溝４６１，４６２）を有し、前記金属製部材は、前記樹脂側嵌合部にスライド嵌合する金属側嵌合部（例えば、後述の嵌合片４５１，４５２）を有することが好ましい。
【発明の効果】
【０００８】
本発明の建具によれば、樹脂製部材と金属製部材の複合部材に補強筒を用いて機能部品を締結固定する作業を安価な構成で効率化できる。
【図面の簡単な説明】
【０００９】
【図１】本発明の一実施形態に係る建具を屋外側から見た姿図である。
【図２】本実施形態の建具を屋内側から見た姿図である。
【図３】本実施形態の建具が備える戸体の横断面図である。
【図４】本実施形態の建具が備える戸体の縦断面図である。
【図５】本実施形態の障子に取り付けられた把手部の様子を屋内側から見た図である。
【図６】本実施形態の障子に取り付けられた把手部を示す横断面図である。
【図７】本実施形態の補強筒が取り付けられた樹脂形材にアルミ形材をスライド嵌合する様子を示す斜視図である。
【図８】本実施形態の補強筒を樹脂形材に挿入する様子を示す断面図である。
【図９】本実施形態のアルミ形材が嵌合された樹脂形材に把手部を組み付ける様子を示す断面図である。
【図１０】本実施形態の把手部をビスにより樹脂形材に締結する様子を示す断面図である。
【発明を実施するための形態】
【００１０】
以下、本発明の好ましい実施形態について図面を参照しながら説明する。
【００１１】
まず、本発明が適用される建具１の全体構成について説明する。図１は、本発明の一実施形態に係る建具１を屋外側から見た姿図である。図２は、本実施形態の建具１を屋内側から見た姿図である。図３は、本実施形態の建具１が備える戸体１２の横断面図である。図４は、本実施形態の建具１が備える戸体１２の縦断面図である。
【００１２】
本実施形態の建具１は、固定枠体１１と、戸体１２と、複数の丁番１３と、ドアクローザ１４と、ドアガード１５と、を備える。なお、以下の説明において、「吊元側」とは、戸体１２の吊元側を意味し、「戸先側」とは、戸体１２の戸先側を意味する。
【００１３】
固定枠体１１は、建物に形成された躯体開口部２に固定される。固定枠体１１は、横枠としての固定上枠１１１及び固定下枠１１２と縦枠としての吊元側の固定縦枠１１３及び戸先側の固定縦枠１１４により矩形に枠組みされる。
【００１４】
戸体１２は、固定枠体１１の内側に吊り込まれる玄関ドア等の開き戸である。複数の丁番１３により、固定枠体１１に戸体１２が開閉可能（回動可能）に支持される。
【００１５】
ドアクローザ１４は、戸体１２の屋内側の上側であって、戸体１２の見付方向（戸体１２の幅方向）の中心よりも吊元側に寄って配置される。ドアクローザ１４は、本体が戸体１２に、アームが固定上枠１１１に、それぞれ接続される。
【００１６】
ドアガード１５は、戸体１２に配置され、かつ、ループ状に形成されたドアガード本体部１６と、戸先側の固定縦枠１１４に配置され、かつ、ドアガード本体部１６が掛合することが可能なドアガード受け部１７と、を有する。
【００１７】
図１を参照して戸体１２の屋外側に配置される構成について説明する。戸体１２の屋外側の表面には屋外側面材６１が配置される。戸体１２の屋外戸先側における高さ方向の略中央部には屋外側ハンドル６２が配置される。屋外側ハンドル６２の上下それぞれにはシリンダー６３，６４が配置される。また、屋外側面材６１の左右方向中央には上下方向に延びる化粧材６５が配置され、この化粧材６５の両側には左右一対の外額縁部材６６が固定される。外額縁部材６６は、戸体１２の屋外側に配置される嵌合部材６７を介して固定される（図３参照）。
【００１８】
図２を参照して戸体１２の屋内側に配置される構成について説明する。戸体１２の屋内側の表面には屋内側面材７１が配置される。戸体１２の屋内戸先側における高さ方向の略中央部には屋内側ハンドル７２が配置される。屋内側ハンドル７２の上下それぞれにはサムターン７３，７４が配置される。
【００１９】
また、屋内側面材７１の化粧材６５の裏側には採風窓として機能する開閉可能な障子４０が配置される。屋内側面材７１における障子４０の四周には樹脂製の額縁８０が固定される。額縁８０は、上額縁８１、下額縁８２、吊元側の縦額縁８３及び戸先側の縦額縁８４からなる。縦額縁８３，８４の上下端のそれぞれには、端部の開口部を塞ぐ端部キャップ１００が嵌め込まれる。
【００２０】
図３及び図４に示すように、本実施形態の戸体１２は、戸体１２の四周を囲んで配置される框体２０と、戸体１２に形成される開口部３０に固定され、障子４０が嵌め込まれる開口部枠体５０と、を更に備える。
【００２１】
框体２０は、横框としての上框２１及び下框２２と縦框としての吊元側の縦框２３及び戸先側の縦框２４により矩形に框組みされる。
【００２２】
開口部枠体５０は、横枠としての開口部上枠５１及び開口部下枠５２と縦枠としての吊元側の開口部縦枠５３及び戸先側の開口部縦枠５４により矩形に枠組みされる。本実施形態の開口部枠体５０は、例えば、アルミニウム等の金属製の部材によって構成される。
【００２３】
開口部上枠５１には上額縁８１を嵌合固定する上ジョイント部材９１がビス９５により固定され、開口部下枠５２には下額縁８２を嵌合固定する下ジョイント部材９２がビス９５により固定される。また、吊元側の開口部縦枠５３には吊元側の縦額縁８３を嵌合固定する縦ジョイント部材９３がビス９５により固定され、戸先側の開口部縦枠４４には戸先側の縦額縁８４を嵌合固定する縦ジョイント部材９４がビス９５により固定される。
【００２４】
また、開口部下枠５２は、その内部に屋外側に通じる排水経路（図示省略）を有し、排水経路における屋外側の出口には排水弁５５が設けられる。本実施形態の下額縁８２は、その上面が屋外側に進むにつれて下がるように傾斜しており、前述の排水経路に水をガイドする構成となっている。
【００２５】
次に、開口部枠体５０の内側に嵌め込まれる障子４０について説明する。障子４０は、縦辷り出しタイプの障子であり、障子４０を開放すれば、戸体１２を開放することなく屋内の通気・換気（採風）が可能になる。本実施形態の障子４０は、採風框体４１と、ガラス４２と、上側アーム４２１と、下側アーム４２２と、把手部１５０（図２参照）と、を備える。
【００２６】
採風框体４１は、横框としての採風上框４１１及び採風下框４１２と縦框としての吊元側の採風縦框４１３及び戸先側の採風縦框４１４により矩形に框組される。
【００２７】
採風上框４１１は、屋内側に配置される樹脂形材４１１ａと屋外側に配置されるアルミ形材４１１ｂが嵌合固定されて構成される。採風下框４１２は、屋内側に配置される樹脂形材４１２ａと屋外側に配置されるアルミ形材４１２ｂが嵌合固定されて構成される。また、左右の採風縦框４１３，４１４についても同様に、屋内側に配置される樹脂形材４１３ａ，４１４ａと屋外側に配置されるアルミ形材４１３ｂ，４１４ｂが嵌合固定されて構成される。このように、採風框体４１は、アルミニウム等の金属を押出成形したアルミ形材と断熱部材として機能する樹脂形材とによって構成される複合部材となっている。
【００２８】
ガラス４２は、採風框体４１の内側に嵌め込まれる複層ガラスである。ガラス４２は、グレイジングチャンネル４３０等を介して採風框体４１の内側に固定される。また、ガラス４２の屋外側には網６８が配置される。網６８は、障子４０を開放することで屋外と屋内とを開口部３０を通じて連通させた際に、虫等が屋内に侵入するのを防ぐためのものである。
【００２９】
上側アーム４２１は開口部上枠５１と採風上框４１１を接続し、下側アーム４２２は、開口部下枠５２と採風下框４１２を接続する。上側アーム４２１及び下側アーム４２２によって、障子４０が開口部３０の内側に開閉可能に吊り込まれる。
【００３０】
把手部１５０は、吊元側の採風縦框４１３の屋内側に配置される。把手部１５０は、連動部材４４１を介して障子４０の開放を制限するロック機構４４０を有する。
【００３１】
以上、建具１の全体構成について説明した。次に、機能部品としての把手部１５０の建具１（障子４０）への取付方法について説明する。
【００３２】
図５は、本実施形態の障子４０に取り付けられた把手部１５０の様子を屋内側から見た図である。図６は、本実施形態の障子４０に取り付けられた把手部１５０を示す横断面図である。図７は、補強筒１８０がセットされた樹脂形材４１３ａにアルミ形材４１３ｂがスライド嵌合される途中の様子を示す斜視図である。
【００３３】
まず、把手部１５０が取り付けられる採風縦框４１３について説明する。上述のように採風縦框４１３は、屋内側に配置される樹脂形材４１３ａと、屋外側に配置されるアルミ形材４１３ｂと、からなる複合形材である。樹脂形材４１３ａとアルミ形材４１３ｂが組み合わされることにより、ガラス４２を保持するガラス溝４２０を形成する。
【００３４】
樹脂形材４１３ａは、屋内側の見付面部４１５と、アルミ形材４１３ｂに対向する金属側面部４１６と、見付面部４１５と金属側面部４１６の間に形成される複数のホロー部１６２と、見付面部４１５側に配置される左右一対のスライド溝４６１，４６２と、を備える。
【００３５】
樹脂形材４１３ａの金属側面部４１６には、アーム部１５４を挿通するための長孔１６７が形成される。長孔１６７は、アーム部１５４の回動方向に応じて樹脂形材４１３aの長手方向に沿って延びている。長孔１６７の長手方向の両側には補強筒１８０を挿通する樹脂側貫通孔１６５がそれぞれ形成される。
【００３６】
また、樹脂形材４１３ａの見付面部４１５にも、アーム部１５４が挿通される長孔１６８が、金属側面部４１６の長孔１６７に対応する位置に形成される。見付面部４１５における長孔１６８の長手方向の両側には、補強筒１８０を挿通する樹脂側貫通孔１６６が、金属側面部４１６の樹脂側貫通孔１６５に対応する位置にそれぞれ形成される。
【００３７】
アルミ形材４１３ｂは、把手部１５０を締結するためのビス１７０が締結される締結壁部４７０と、ガラス溝４２０の反対側で連動部材４４１を保持する連動部材保持溝４７５と、連動部材保持溝４７５とガラス溝４２０の間に形成されるホロー部４８０と、スライド溝４６１，４６２に対応する左右一対の嵌合片４５１，４５２と、を備える。
【００３８】
締結壁部４７０には、アーム部１５４を挿通するための長孔４７２が形成される。この長孔４７２は、樹脂形材４１３ａの長孔１６７，１６８に対応する位置に形成される。また、締結壁部４７０における長孔４７２の長手方向の両側には補強筒１８０を挿通する金属側貫通孔４７１がそれぞれ形成される。締結壁部４７０の金属側貫通孔４７１も樹脂側貫通孔１６５，１６６に対応する位置に形成される。
【００３９】
本実施形態では、締結壁部４７０における長孔４７２及び金属側貫通孔４７１が形成される部分にはプレート５１０が配置される。このプレート５１０にも対応する長孔５１２及び長孔５１２の長手方向の両側に貫通孔５１１がそれぞれ形成されている。
【００４０】
次に、把手部１５０の構成について説明する。図５及び図６に示すように、本実施形態の把手部１５０は、把手本体部１５１と、手掛部１５２と、ロックレバー１５３と、アーム部１５４と、を主要な構成として備える。
【００４１】
把手本体部１５１は、ロック機構等を内蔵する筐体である。把手本体部１５１は、採風縦框４１３の見付面に締結部材としてのビス１７０により固定される。障子４０の手掛けとなる手掛部１５２は、把手本体部１５１から見付方向の戸先側に壁状に延び出ている。
【００４２】
ロックレバー１５３は、把手本体部１５１の吊元側の見込面に回転可能に取り付けられており、把手本体部１５１内部の機構と連動してアーム部１５４を回動させる。アーム部１５４の先端には連結孔１５６が形成されており、この連結孔１５６に連動部材４４１の連結ピン４４２が挿入される。
【００４３】
把手部１５０は、把手本体部１５１の取付面１５５が見付面部４１５に対面接触した状態で締結部材としてのビス１７０により、採風縦框４１３に固定される。ビス１７０は、樹脂形材４１３ａに嵌め込まれる補強筒１８０を通じて屋外側から屋内側に位置する把手本体部１５１の締結孔１５７に締結される。
【００４４】
次に、把手部１５０が取り付ける手順について説明する。図８は、本実施形態の補強筒１８０を樹脂形材４１３ａに挿入する様子を示す断面図である。図８に示すように、本実施形態の補強筒１８０は、円筒状の筒体１８１と、筒体１８１に取り付ける鍔部としてのワッシャ１８２と、を備える。ワッシャ１８２は弾性を有するリング状のゴムであり、内側の空間に筒体１８１が挿入される。
【００４５】
筒体１８１の外周面にワッシャ１８２が取り付けられた補強筒１８０を樹脂形材４１３ａの樹脂側貫通孔１６５，１６６に挿入する。樹脂側貫通孔１６５，１６６は、例えば加工によって筒体１８１の形状に応じた大きさで形成される。筒体１８１の外周面にはワッシャ１８２が外側に鍔状にせり出しているので、ワッシャ１８２の下側面が金属側面部４１６に干渉し、筒体１８１の下方への抜けが妨げられる。この時点では樹脂形材４１３ａに対してアルミ形材４１３ｂは嵌合されていない。
【００４６】
２箇所形成される樹脂側貫通孔１６５，１６６に補強筒１８０を挿入した後、樹脂形材４１３ａにアルミ形材４１３ｂをスライド嵌合する。図７に示すように、樹脂形材４１３ａのスライド溝４６１，４６２にアルミ形材４１３ｂの嵌合片４５１，４５２をそれぞれ嵌合し、アルミ形材４１３ｂの長孔４７２の位置が樹脂形材４１３ａの長孔１６７，１６８に合う位置まで矢印の方向にスライド移動させる。補強筒１８０を樹脂形材４１３ａに嵌めるタイミングが、アルミ形材４１３ｂの締結壁部４７０により樹脂側貫通孔１６５，１６６が隠れる前に行われることになる。
【００４７】
樹脂形材４１３ａとアルミ形材４１３ｂの嵌合後は、樹脂形材４１３ａとアルミ形材４１３ｂの間に形成される空間１６０で補強筒１８０がワッシャ１８２によって抜け止め保持された状態となり、樹脂側貫通孔１６５，１６６の何れからも脱落しない状態となる。
【００４８】
図９は、本実施形態のアルミ形材４１３ｂが嵌合された樹脂形材４１３ａに把手部１５０を組み付ける様子を示す断面図である。樹脂形材４１３ａがアルミ形材４１３ｂに嵌合した状態で、把手部１５０のアーム部１５４を樹脂形材４１３ａの長孔１６８から挿入する。アーム部１５４の先端を見付面部４１５の長孔１６８、金属側面部４１６の長孔１６７、締結壁部４７０の長孔４７２の順に通し、最終的にアーム部１５４の連結孔１５６を連結ピン４４２に連結する。この作業では、連結ピン４４２との干渉を避けるため、把手部１５０を斜めに傾けた姿勢でアーム部１５４を挿入し、そこから連結孔１５６に連結ピン４４２が挿通するように把手部１５０を回転させて行われる。
【００４９】
図１０は、本実施形態の機能部品としての把手部１５０をビス１７０により樹脂形材４１３ａに締結する様子を示す断面図である。図１０に示すように、アーム部１５４が連動部材４４１に連結された状態で締結壁部４７０にプレート５１０を配置してビス１７０による締結作業が行われる。ビス１７０は、プレート５１０の貫通孔５１１、アルミ形材４１３ｂの金属側貫通孔４７１を貫通し、締結壁部４７０と金属側面部４１６の間の空間１６０で保持される補強筒１８０の筒体１８１の内側を通って把手部１５０の締結孔１５７に達する。ビス１７０の先端が締結孔１５７に締結されることにより、把手部１５０が樹脂形材４１３ａの見付面部４１５に固定される。
【００５０】
このように、本実施形態では、鍔部としてのワッシャ１８２を有する補強筒１８０を樹脂側貫通孔１６５，１６６に挿入する工程と、補強筒１８０のワッシャ１８２が抜け止めとして機能している状態で樹脂形材４１３ａにアルミ形材４１３ｂをスライド嵌合する工程と、機能部品としての把手部１５０を連動部材４４１の連結ピン４４２に連結する工程と、連動部材４４１の連結ピン４４２にアーム部１５４が連結された状態で、補強筒１８０の筒体１８１を通じて樹脂形材４１３ａに把手部１５０を固定する工程と、を含む。
【００５１】
上記実施形態によれば、以下のような効果を奏する。
障子４０（建具１）は、筒体１８１及び筒体１８１の外周面に取り付けられるワッシャ１８２を有する補強筒１８０と、補強筒１８０の筒体１８１が挿入される樹脂側貫通孔１６５，１６６が形成される樹脂形材（樹脂製部材）４１３ａと、樹脂側貫通孔１６５，１６６に対応する位置に金属側貫通孔４７１が形成され、樹脂形材４１３ａに対して空間１６０をあけて固定されるアルミ形材４１３ｂ（金属製部材）と、金属側貫通孔４７１から、空間１６０でワッシャ１８２により抜け止めされた補強筒１８０の中空部を通って樹脂形材４１３ａに対して取付対象である把手部（機能部品）１５０を締結するビス（締結部材）１７０と、を備える。
【００５２】
これにより、筒体１８１にワッシャ１８２を取り付けるという安価な部品構成で作業性を効果的に向上させることができる。
【００５３】
本実施形態のように、把手部１５０がロック機構４４０を実現するアーム部１５４を有するため、連結工程で把手部１５０を傾けるための幅を確保する必要がある場合でも、作業途中に補強筒１８０が抜け落ちるようなこともない。また、鍔部がワッシャ１８２で構成されているので樹脂形材４１３ａに嵌め込んだ後でも抜け止め位置を調整することもできる。
【００５４】
また、本実施形態では、樹脂形材４１３ａは、長手方向に延びるスライド溝４６１，４６２を有し、アルミ形材４１３Ｂは、スライド溝４６１，４６２にスライド嵌合する嵌合片４５１，４５２を有する。
【００５５】
これにより、補強筒１８０をセットした後、速やかにスライド嵌合を行って補強筒１８０を所定位置に迅速かつ安定的に保持させることができ、より一層作業性を向上させることができる。
【００５６】
以上、本発明の好ましい実施形態について説明したが、本発明は、上述の実施形態に制限されるものではなく、適宜変更が可能である。
【００５７】
上記実施形態では、補強筒１８０の鍔部がゴム製のワッシャ１８２により構成されているが、この構成に限定されない。金属製のものや樹脂製のもので鍔部を構成することもできる。
【００５８】
上記実施形態では、樹脂形材４１３ａに対してアルミ形材４１３ｂがスライド嵌合される例を説明したが、スライド嵌合に限定される訳ではない。例えば、樹脂形材に対してアルミ形材を回転させながら嵌合するような場合にも本発明を適用することができる。
【００５９】
上記実施形態では、機能部品として把手部１５０を例に説明したが、機能部品が把手部１５０に限定されるわけではない。ロック機構を有しないハンドルやオペレータ操作レバー等、種々の機能部品に対しても本発明を適用することができる。
【符号の説明】
【００６０】
１  建具
１５０  把手部（機能部品）
１７０  ビス（締結部材）
１８０  補強筒
１８１  筒体
１８２  ワッシャ（鍔部）
１６５，１６６  樹脂側貫通孔
４１３ａ  樹脂形材（樹脂製部材）
４１３ｂ  アルミ形材（金属製部材）
４５１，４５２  嵌合片（金属側嵌合部）
４６１，４６２  スライド溝（樹脂側嵌合部）
４７１  金属側貫通孔
【図１】
2018150704.tif 000003
【図２】
2018150704.tif 000004
【図３】
2018150704.tif 000005
【図４】
2018150704.tif 000006
【図５】
2018150704.tif 000007
【図６】
2018150704.tif 000008
【図７】
2018150704.tif 000009
【図８】
2018150704.tif 000010
【図９】
2018150704.tif 000011
【図１０】
2018150704.tif 000012